(57)【特許請求の範囲】
【請求項１】
データが記入され計算機で読み取られる帳票であって、
前記帳票は、記入シートと複写シートで構成され、複写シートが計算機で読み取られる帳票であって、
前記記入シートおよび複写シートは、計算機で読み取られる際の読取り領域の高さと方向と開始位置を示す開始記号及び計算機で読み取られる際の読取り領域の終了位置を示す終了記号を有し、
前記複写シートにはブレ度合検出用の記号が表記され、
前記複写シートに前記記入シートを重畳した際に、前記ブレ度合検出用の記号の上面に、前記記入シートに記載された前記開始記号、前記終了記号または前記記入シートに印字された記号が重畳する、
帳票。
【請求項２】
前記複写シートの上面に前記記入シートを重畳した際に、前記ブレ度合検出用の記号の上面に、前記記入シートに記載された前記開始記号、または前記終了記号が重畳する、
請求項１に記載の帳票。
【請求項３】
前記ブレ度合検出用の記号は、前記複写シートに記載された前記開始記号、または前記終了記号の内部に表記される、
請求項２に記載の帳票。
【請求項４】
前記記入シートは郵便番号を記入するシートであって、
前記記入シートには前記郵便番号の区切りとなるハイフンが記載され、
前記複写シートに前記記入シートを重畳した際に、前記ブレ度合検出用の記号の上面に、前記記入シートに記載された前記ハイフンが重畳する、
請求項１に記載の帳票。
【発明の詳細な説明】
【技術分野】
【０００１】
本発明は、情報の項目の種類とその内容の記入位置が示された帳票と、内容が記入された後の帳票を画像入力して処理する帳票に関するものである。
【背景技術】
【０００２】
従来の帳票処理装置である、記録媒体に記載されている文字や記号の読取、写真検出等を行うＯＣＲやＯＭＲ、各種帳票リーダーでは、帳票に予め記載されているタイミングマークや罫線情報を利用して帳票画像全体の傾きや縮尺を検出し、予め登録されているレイアウト情報を用いて、各項目の入力画像内の記載位置を特定していた。図１０（ａ）は、従来の帳票フォーマットの１例である。
【先行技術文献】
【特許文献】
【０００３】
【特許文献１】特開平５−１５９０９９号公報
【発明の概要】
【発明が解決しようとする課題】
【０００４】
しかしながら、従来の帳票処理装置は、スキャナ入力等、入力画像の変形が一定の範囲に収まるものを想定していたため、カメラ等で帳票を撮影して画像入力すると、図１０（ｂ）に示すように、入力画像の大幅な回転や撮影俯角による画像の歪みが発生し、タイミングマークや罫線の抽出に失敗して項目領域を抽出できない場合があった。
【０００５】
また、内容を記入する際に、入力した文字が罫線に接触した場合、入力画像において罫線と記入内容との区別が困難で、罫線の抽出に失敗する場合があった。
【０００６】
また、各項目内の記入位置が示されている場合、入力画像において記入位置を示す表記と記入内容との区別が困難で、記入内容の処理に失敗する場合があった。
【０００７】
本発明は、前記従来の課題を解決するもので、カメラ等の帳票撮影状態が不安定な画像入力装置で帳票画像を入力した場合でも、高速に精度良く、各項目の入力画像内の記載位置を特定し、各項目毎の処理を行うことができる帳票を提供することを目的とする。
【課題を解決するための手段】
【０００８】
本発明の帳票は、データが記入され計算機で読み取られる帳票であって、前記帳票は、記入シートと複写シートで構成され、複写シートが計算機で読み取られる帳票であって、前記記入シートおよび複写シートは、計算機で読み取られる際の読取り領域の高さと方向と開始位置を示す開始記号及び計算機で読み取られる際の読取り領域の終了位置を示す終了記号を有し、前記複写シートにはブレ度合検出用の記号が表記され、前記複写シートに前記記入シートを重畳した際に、前記ブレ度合検出用の記号の上面に、前記記入シートに記載された前記開始記号、前記終了記号または前記記入シートに印字された記号が重畳する、ことを特徴とする。
【発明の効果】
【００２１】
本発明の帳票によれば、項目の開始記号及び終了記号を抽出するだけで項目領域を特定でき、入力画像の変動に、高速に精度良く対応できる。
【図面の簡単な説明】
【００２２】
【図１】本発明の実施の形態１における帳票処理装置の構成図
【図２】本発明の実施の形態１における帳票処理装置の制御概略図
【図３】（ａ），（ｂ）本発明の実施の形態１における帳票の構成図
【図４】（ａ），（ｂ），（ｃ）本発明の実施の形態１における入力帳票画像の説明図
【図５】（ａ），（ｂ）本発明の実施の形態１における領域記号検出部の説明図
【図６】（ａ），（ｂ）本発明の実施の形態１における領域抽出部の説明図
【図７】（ａ），（ｂ），（ｃ）本発明の実施の形態１における領域抽出部の説明図
【図８】（ａ），（ｂ）本発明の実施の形態１における伝票を示す説明図
【図９】（ａ），（ｂ）本発明の実施の形態１における伝票を示す説明図
【図１０】（ａ），（ｂ）従来の帳票処理装置及び記録媒体の説明図
【図１１】本発明の実施の形態２における帳票処理装置の構成図
【図１２】本発明の実施の形態２における帳票処理装置の制御概略図
【図１３】（ａ），（ｂ）本発明の実施の形態２における帳票のブレ度合検出用記号の説明図
【図１４】（ａ），（ｂ），（ｃ）本発明の実施の形態２における帳票処理装置の動作説明図
【発明を実施するための形態】
【００２３】
以下本発明の実施の形態について、図面を参照しながら説明する。
【００２４】
（実施の形態１）
図１は、本発明の実施の形態１における帳票処理装置の構成図である。
【００２５】
図１において、１０１は画像入力部であり、処理対象領域を含む画像を入力する。
１０２は領域記号検出部であり、画像入力部１０１で入力した入力画像から、開始記号及び終了記号及び必要に応じて罫線を検出する。
【００２６】
１０３は領域抽出部であり、領域記号検出部１０２で検出した開始記号及び終了記号の位置と高さと方向と種類を用いて処理対象領域を抽出する。１０４は処理部であり、領域抽出部１０３で抽出した処理対象領域に記載されている内容を開始記号及び終了記号の種類に従って処理する。１０５は出力部であり、処理部１０４で処理した結果を出力する。
【００２７】
なお、画像入力部、領域記号検出部、領域抽出部、処理部等の各機能ブロックは、典型的には集積回路であるＬＳＩとして実現されてもよい。集積回路化の手法は、ＬＳＩに限るものではない。これらは、個別に１チップ化されてもよいし、一部又は全部を含むように１チップ化されてもよい。
【００２８】
図２は、本発明の実施の形態１における帳票処理装置の制御概略図である。画像入力ステップＳ１０１で、処理対象領域を含む画像を入力し、Ｓ１０２に進む。領域記号検出ステップＳ１０２で、入力画像から開始記号及び終了記号及び必要に応じて罫線を検出し、開始記号及び終了記号の位置と高さと方向と種類を検出し、Ｓ１０３に進む。
【００２９】
領域記号検証ステップＳ１０３で、開始記号及び終了記号及び罫線の形状や組合せや位置関係を検証し、不可であればＳ１０１に進み、可であればＳ１０４に進む。領域画像抽出ステップＳ１０４で、処理対象領域画像を抽出し、処理対象領域画像が変形していた場合はＳ１０５に進み、変形していない場合は項目に応じてＳ１０６，Ｓ１０７，Ｓ１０８に進む。
【００３０】
領域画像補正ステップＳ１０５で、処理対象領域画像を補正し、項目に応じてＳ１０６，Ｓ１０７，Ｓ１０８に進む。
【００３１】
文字認識ステップＳ１０６は、処理対象領域画像に対して文字認識処理を行い、Ｓ１０９に進む。記号認識ステップＳ１０７は、処理対象領域画像に対して記号認識処理を行い、Ｓ１０９に進む。
【００３２】
画像保存ステップＳ１０８は、処理対象領域画像を画像データに変換し、Ｓ１０９に進む。出力ステップＳ１０９で、文字認識ステップＳ１０６及び記号認識ステップＳ１０７及び画像保存ステップＳ１０８で処理した結果を出力する。
なお、各ステップは、コンピュータで実行可能なプログラムで記述されてもよい。
【００３３】
図３は、本発明の実施の形態１における帳票の構成図である。記入シート（図３（ａ））と複写シート（図３（ｂ））で構成され、以下の条件を満たす。
・処理対象領域は、開始記号と終了記号と罫線で囲まれている。
・開始記号及び終了記号が、一定の不記載領域（白または背景色）で囲まれている。
・開始記号及び終了記号は、処理対象領域の存在方向と高さを表現している。
・開始記号及び終了記号は、項目欄の処理内容毎に形状が異なる。
・記入シートには、処理対象領域内の記入位置が示され、複写シートには、記載されていない。
・開始記号及び終了記号及び記入位置と、罫線の間に一定の不記載領域を設ける。
・複写シートの開始記号及び終了記号が対応する記入シートの開始記号及び終了記号より小さい。
【００３４】
伝票が添付された荷物等は、記入シートが依頼主に保管され、複写シートのみが添付された状態で、集配所で記載内容を読み取る。以下、図４（ａ）〜（ｃ）に示す帳票Ａの複写シートＣの入力画像を例に、動作の詳細を説明する。画像入力部１０１で、複写シートＣをカメラで撮影すると、図４（ｃ）に示すように傾きθ度、解像度Ｄｄｐｉで画像入力される。
【００３５】
領域記号検出部１０２では、入力画像の連結閉領域を抽出し、図５（ａ）に示すように、予め登録されている開始記号及び終了記号と形状照合を行い、入力画像内の全ての開始記号及び終了記号の位置と高さと方向と種類を検出する。検出結果を図５（ｂ）に示す。
【００３６】
開始記号ＬＳ１，ＬＳ２，ＬＳ３と終了記号ＬＥ１，ＬＥ２，ＬＥ３が検出できた。複写シートでは、開始記号及び終了記号が記入シートより小さく表記されているので、連結閉領域として検出し易い。
【００３７】
領域抽出部１０３では、図６（ａ）に示すように、予め複写シートＣの帳票レイアウトが登録されている。
【００３８】
帳票レイアウトには、項目毎に、処理内容、開始終了記号の形状、処理領域のサイズ、処理領域内の記入位置が登録されている。領域記号抽出部１０２で抽出された開始記号について、開始記号の方向と対になる終了記号を特定し、特定できなければ不可として、画像入力部１０２の処理に戻る。
【００３９】
ＬＳ１とＬＥ１，ＬＳ２とＬＥ２，ＬＳ３とＬＥ３が対であることが検証され、開始記号と終了記号の対がわかれば、開始記号と終了記号の位置と高さと方向から処理対象領域の位置を特定し、切り出す。図６（ｂ）に開始終了記号対ＬＳ１とＬＥ１の処理対象領域Ｌ１の位置特定結果を示す。
【００４０】
次に、複写シートＣが斜めに読み込まれたときの角度補正方法について述べる。処理対象領域画像の傾きθと解像度Ｄは、図７（ａ）（ｂ）に示す式で求まる。図７（ｂ）の８ｃｍは、図６（ａ）の帳票レイアウトに格納されている郵便の領域サイズの横幅である。対の開始終了記号が検出できても、解像度が低すぎたり高すぎたりした場合は不可として、画像入力部１０２の処理に戻る。傾きθが値を持つ場合は、処理対象領域画像を回転補正する。図７（ｃ）に抽出した処理対象領域画像を示す。
【００４１】
処理部１０４で、抽出した処理対象領域画像毎に、開始記号が示す項目に応じた処理を行う。図７（ｃ）に示す処理対象領域画像Ｌ１は、図６（ａ）に示す帳票レイアウトから、郵便番号項目であるので、登録されている項目内の文字記載位置の情報を用いて、文字画像を切り出し文字認識する。
【００４２】
また、選択記号項目である場合は、登録されている項目内の記号記載位置の情報を用いて、選択された記号を識別する。出力部１０５は、これら処理部１０４の処理結果を出力する。
【００４３】
かかる構成によれば、帳票の処理対象領域に開始記号及び終了記号を表記し、帳票処理装置に領域記号検出部を設けることにより、帳票の入力画像から項目の開始記号及び終了記号を抽出して、各項目の入力画像内の記載位置を特定し、各項目毎の処理を行うので、カメラ等の帳票撮影状態が不安定な画像入力装置で帳票画像を入力した場合でも、高速に精度良く各項目毎の処理を行うことができる。
【００４４】
さらに、図８を用いて、記入シートと複写シートで開始記号などの大きさを変える効果について述べる。図８（ａ）は記入シートを示しており、開始記号などと共に、記入枠(実線)が印刷されている。
【００４５】
また、図８（ｂ）は複写シートを示している。複写シート（ｂ）は記入シートの真下にあるので、記入シートの記入枠（実線）は複写シートでは点線の位置にあることになる。なお、実際には点線は印刷されていない。
【００４６】
記入シート(a)の文字記入枠（実線）にかかるように、「ａ」と記入された場合、複写シートには、図８（ｂ）の位置に「ａ」が複写される。
【００４７】
このとき、複写シートでは開始記号が記入シートの開始記号と比較して、小さくかつ記入枠と離れて印刷されているので、記入された文字が開始記号などにかかかることがない。このため、文字認識を容易に行うことが出来る。
【００４８】
さらに、図９を用いて、記入シートと複写シートの開始記号の中の文字を印字する場合としない場合について述べる。図９では、記入シート（ａ）で示すように、開始記号には郵便のマークがあるが、複写シート（ｂ）の方には印刷されていない。
【００４９】
このため、記入シートに印字するときは、利用者が記入内容を把握することができ、複写シートを計算機で読み取るときは、記号がないので、開始記号を画像処理によって検出することが容易になる。
【００５０】
なお、本実施の形態において、複写シートを処理対象としたが、記入シートを対象にしてもかまわない。記入シートを処理対象とし、記入シートを画像入力した場合、項目内の記入位置情報を用いて示された記入位置の画像を削除する処理を追加してもよい。
【００５１】
開始終了記号や罫線、記入位置を示す表記を、別色で印刷してもかまわない。
開始終了記号の形状は、これだけに限らない。開始終了記号は、処理対象領域の形状が複雑な場合に対応するため、処理対象領域の外周位置に複数配置してもよい。
【００５２】
（実施の形態２）
図１１は、本発明の実施の形態２における帳票処理装置の構成図である。
【００５３】
図１１において、１０１は画像入力部であり、処理対象領域を含む画像を入力する。１０２は領域記号検出部であり、画像入力部１０１で入力した入力画像から、開始記号及び終了記号及び必要に応じて罫線を検出する。
【００５４】
２０１はブレ度合検出部であり、画像入力部１０１で入力した入力画像から、ブレ度合検出記号を検出しブレ度合を求める。
【００５５】
１０３は領域抽出部であり、領域記号検出部１０２で検出した開始記号及び終了記号の位置と高さと方向と種類を用いて処理対象領域画像を抽出し、ブレ度合検出部２０１で検出したブレ度合に応じて処理対象領域画像をブレ補正し、処理対象領域が変形している場合は、処理対象領域画像を補正する。１０４は処理部であり、領域抽出部１０３で抽出した処理対象領域に記載されている内容を開始記号及び終了記号の種類に従って処理する。１０５は出力部であり、処理部１０４で処理した結果を出力する。
【００５６】
なお、画像入力部、領域記号検出部、ブレ度合検出部、領域抽出部、処理部等の各機能ブロックは、典型的には集積回路であるＬＳＩとして実現されてもよい。集積回路化の手法は、ＬＳＩに限るものではない。これらは、個別に１チップ化されてもよいし、一部又は全部を含むように１チップ化されてもよい。
【００５７】
図１２は、本発明の実施の形態２における帳票処理装置の制御概略図である。画像入力ステップＳ１０１で、処理対象領域を含む画像を入力し、Ｓ１０２に進む。領域記号検出ステップＳ１０２で、入力画像から開始記号及び終了記号及び必要に応じて罫線を検出し、開始記号及び終了記号の位置と高さと方向と種類を検出し、Ｓ１０３に進む。
【００５８】
領域記号検証ステップＳ１０３で、開始記号及び終了記号及び罫線の形状や組合せや位置関係を検証し、不可であればＳ１０１に進み、可であればＳ２０１に進む。ブレ度合検出ステップＳ２０１で、入力した入力画像からブレ度合検出記号を検出してブレ度合を求め、Ｓ２０２に進む。ブレ度合検証ステップＳ２０２で、ブレ度合を検証し、ブレ度合が予め設定された値より大きい場合Ｓ１０１に進み、大きくなければＳ１０４に進む。領域画像抽出ステップＳ１０４で、処理対象領域画像を抽出し、処理対象領域画像がブレていたり変形していた場合はＳ１０５に進み、ブレていたり変形していない場合は、項目に応じてＳ１０６，Ｓ１０７，Ｓ１０８に進む。
【００５９】
領域画像補正ステップＳ１０５で、処理対象領域画像をブレ補正あるいは変形補正し、項目に応じてＳ１０６，Ｓ１０７，Ｓ１０８に進む。
【００６０】
文字認識ステップＳ１０６は、処理対象領域画像に対して文字認識処理を行い、Ｓ１０９に進む。記号認識ステップＳ１０７は、処理対象領域画像に対して記号認識処理を行い、Ｓ１０９に進む。
【００６１】
画像保存ステップＳ１０８は、処理対象領域画像を画像データに変換し、Ｓ１０９に進む。出力ステップＳ１０９で、文字認識ステップＳ１０６及び記号認識ステップＳ１０７及び画像保存ステップＳ１０８で処理した結果を出力する。
【００６２】
なお、各ステップは、コンピュータで実行可能なプログラムで記述されてもよい。
【００６３】
実施の形態２における帳票の構成は、ブレ度合検出用記号を除いて、実施の形態１における帳票と同様である。
【００６４】
図１３は、本発明の実施の形態２における帳票のブレ度合検出用記号の説明図である。記入シートの開始記号、終了記号、郵便「‐」は、通常の表記である（図１３（ａ））。複写シートの開始記号、終了記号内及び郵便「‐」表記位置には、ブレ度合検出用の記号を表記している（図１３（ｂ））。
【００６５】
以下、実施の形態２の動作の詳細を説明するが、画像入力部１０１、領域記号検出部１０２、処理部１０４、出力部１０５の動作は、実施の形態１における各部の動作と同様である。
【００６６】
図１４（ａ）は、記入シートに郵便番号を記入した図で、図１４（ｂ）は、複写シートをカメラで撮影した際の入力画像で、撮影時のブレが発生している。ブレ度合検出部２０１では、画像入力部１０１で入力した入力画像から、領域記号検出部１０２で検出した開始記号及び終了記号の位置を用いてブレ度合検出用記号の位置を特定し、ブレ度合検出用記号の画像を切出す。ブレ度合検出用記号の画像の拡散状況からブレ度合を検出する。ブレ度合検出用記号が複数表記されているので、帳票の位置によるブレ度合の違いも検出できる。ブレ度合が予め設定された値以上であれば、画像入力部１０１の処理に戻る。
【００６７】
領域抽出部１０３では、領域記号検出部１０２で検出した開始記号及び終了記号の位置と高さと方向と種類を用いて処理対象領域画像を抽出し、ブレ度合検出部２０１で検出したブレ度合に応じて処理対象領域画像をブレ補正する。ブレ補正を実施すると、図１４（ｃ）の画像になる。更に、処理対象領域が変形している場合は、処理対象領域画像を補正する。処理対象領域画像を補正する場合の動作は、実施の形態１と同様である。
【００６８】
かかる構成によれば、複写シートにブレ度合検出用記号を表記し、入力画像から開始記号及び終了記号を抽出してブレ度合検出用記号を抽出してブレ度合を検出し、ブレ度合が大きい場合は再度画像入力処理を実施し、ブレ度合が小さい場合は処理対象領域画像をブレ補正するので、カメラ等の帳票撮影状態が不安定な画像入力装置で帳票画像を入力した場合でも、高速に精度良く各項目毎の処理を行うことができる。
【産業上の利用可能性】
【００６９】
本発明にかかる帳票、帳票処理装置、帳票処理方法は、高速で高性能な画像処理機能を有し、画像処理手法等として有用である。また、迅速な情報のデータ化機能を有し、情報のデータベース化手法等として有用である。
【符号の説明】
【００７０】
１０１  画像入力部
１０２  領域記号検出部
１０３  領域抽出部
１０４  処理部
１０５  出力部
【図１】
0005877335.tif 000002
【図２】
0005877335.tif 000003
【図３】
0005877335.tif 000004
【図４】
0005877335.tif 000005
【図５】
0005877335.tif 000006
【図６】
0005877335.tif 000007
【図７】
0005877335.tif 000008
【図８】
0005877335.tif 000009
【図９】
0005877335.tif 000010
【図１０】
0005877335.tif 000011
【図１１】
0005877335.tif 000012
【図１２】
0005877335.tif 000013
【図１３】
0005877335.tif 000014
【図１４】
0005877335.tif 000015